(57)【要約】【課題】壁材を伝って支承片に達する雨水等が開口部を経由して構造体側に移動することを抑制できる壁材の取付具、及び壁構造を提供する。【解決手段】取付具１０は、構造体８に固定可能な固定部１５と、固定部１５から突出するように設けられ、第１面１３Ｕと第２面１３Ｄとが形成された支承片１３と、支承片１３の先端部位１３Ａから支承片１３の第１面１３Ｕ側に延びる第１係止片１１Ｌ、１１Ｒと、支承片１３の先端部位１３Ａから支承片１３の第２面１３Ｄ側に延びる第２係止片１２と、支承片１３及び固定部１５の少なくとも一方において、少なくとも一部の周縁部１９Ｅ１が支承片１３に位置して開口する開口部１９と、支承片１３の第１面１３Ｕ側に設けられ、開口部１９の支承片１３に位置する周縁部１９Ｅ１を包囲するように凸設された包囲部５０と、を備える。【選択図】図４
2018127863.tif 000002
【特許請求の範囲】
【請求項１】
構造体に壁材を取り付けるための取付具であって、
前記構造体に固定可能な固定部と、
前記固定部から突出するように設けられ、第１面と、前記第１面とは反対側を向く第２面とが形成された支承片と、
前記支承片の先端部位から前記支承片の前記第１面側に延びる第１係止片と、
前記支承片の前記先端部位から前記支承片の前記第２面側に延びる第２係止片と、
前記支承片及び前記固定部の少なくとも一方において、少なくとも一部の周縁部が前記支承片に位置して開口する開口部と、
前記支承片の前記第１面側に設けられ、前記開口部の前記支承片に位置する前記周縁部を包囲するように凸設された包囲部と、を備えていることを特徴とする壁材の取付具。
【請求項２】
前記開口部の前記支承片に位置する前記周縁部に隣接して、前記支承片の前記基端部位から前記支承片の前記第２面側に延び、前記構造体に当接可能な補助固定部を備えている請求項１記載の壁材の取付具。
【請求項３】
前記固定部は、一対の側端部位を有し、
両前記側端部位における前記支承片の前記第１面側からそれぞれ突出するように設けられた一対の側壁を備えている請求項１記載の壁材の取付具。
【請求項４】
前記支承片と両前記側壁との間は、閉止されている請求項３記載の壁材の取付具。
【請求項５】
前記支承片の前記第１面側に設けられ、前記包囲部よりも外側から前記開口部の前記支承片に位置する前記周縁部を包囲するように凸設された補助包囲部を備えている請求項１記載の壁材の取付具。
【請求項６】
前記第１係止片は、前記第２係止片を挟んで一対設けられ、
前記支承片の前記第１面側には、一方の前記第１係止片と前記第２係止片との境界と、他方の前記第１係止片と前記第２係止片との境界とに配置された弾性体が設けられている請求項１記載の壁材の取付具。
【請求項７】
前記包囲部は、前記支承片の前記先端部位側に位置し、前記第２係止片に沿って延びる第１包囲部と、前記包囲部における前記第１包囲部以外の部分である第２包囲部と、を含み、
前記第１包囲部の幅及び高さの少なくとも一方は、前記第２包囲部よりも大きく設定されている請求項１記載の壁材の取付具。
【請求項８】
建物の構造体に対し、取付具を用いて壁材を取り付けた壁構造であって、
前記取付具は、前記構造体に固定可能な固定部と、
前記固定部から突出するように設けられ、第１面と、前記第１面とは反対側を向く第２面とが形成された支承片と、
前記支承片の先端部位から前記支承片の前記第１面側に延びる第１係止片と、
前記支承片の前記先端部位から前記支承片の前記第２面側に延びる第２係止片と、
前記支承片及び前記固定部の少なくとも一方において、少なくとも一部の周縁部が前記支承片に位置して開口する開口部と、
前記支承片の前記第１面側に設けられ、前記開口部の前記支承片に位置する前記周縁部を包囲するように凸設された包囲部と、を備えていることを特徴とする壁構造。
【請求項９】
上下方向で隣り合う各前記壁材によって形成される複数の横目地は、前記支承片に沿って直線状に連続し、
左右方向で隣り合う各前記壁材によって形成される複数の縦目地は、前記支承片の前記第１面側に位置する一方で前記第２面側には位置せず、互い違いに配列されて、連続していない請求項８記載の壁構造。
【発明の詳細な説明】
【技術分野】
【０００１】
本発明は壁材の取付具、及び壁構造に関する。
【背景技術】
【０００２】
従来、壁材の取付具には、特許文献１〜３に開示されたようなものがある。これらの取付具は、構造体に壁材を取り付けるためのものである。これらの取付具は、構造体に固定可能な固定部と、固定部から突出するように設けられた支承片とを備えている。支承片には、第１面と、第１面とは反対側を向く第２面とが形成されている。また、これらの取付具は、第１係止片と第２係止片とを備えている。第１係止片は、支承片の先端部位から支承片の第１面側に延びている。第２係止片は、支承片の先端部位から支承片の第２面側に延びている。
【０００３】
特許文献１に開示の取付具では、固定部から突出する支承片の突出長さは比較的短い。このため、この取付具は、一般的に、壁材と構造体との間に所望の隙間を設けるために、胴縁等であるスペーサを介在させた状態で固定部が構造体に固定される。一方、特許文献２、３に開示の取付具では、固定部から突出する支承片の突出長さは十分に長く、上述したスペーサは不要である。このため、これらの取付具は、固定部が直に構造体に固定されても、壁材と構造体との間に所望の隙間を設けることができる。また、特許文献２、３に開示の取付具は、開口部を備えている。これらの取付具では、開口部は、支承片において開口している。より詳しくは、開口部は、その周縁部の少なくとも一部が支承片に位置して開口している。
【先行技術文献】
【特許文献】
【０００４】
【特許文献１】特開２００２−３７１６８９号公報
【特許文献２】特開２００５−１６０６０号公報
【特許文献３】特開２００８−２６１１２５号公報
【発明の概要】
【発明が解決しようとする課題】
【０００５】
ところで、上記特許文献２、３に開示の取付具のような開口部を備える取付具では、雨水等が壁材を伝って支承片に達した際、その雨水等が開口部を経由して構造体側に達してしまう可能性がある。
【０００６】
本発明は、上記従来の実情に鑑みてなされたものであって、壁材を伝って支承片に達する雨水等が開口部を経由して構造体側に移動することを抑制できる壁材の取付具、及び壁構造を提供することを解決すべき課題としている。
【課題を解決するための手段】
【０００７】
本発明の第１の態様の壁材の取付具は、構造体に壁材を取り付けるための取付具であって、
前記構造体に固定可能な固定部と、
前記固定部から突出するように設けられ、第１面と、前記第１面とは反対側を向く第２面とが形成された支承片と、
前記支承片の先端部位から前記支承片の前記第１面側に延びる第１係止片と、
前記支承片の前記先端部位から前記支承片の前記第２面側に延びる第２係止片と、
前記支承片及び前記固定部の少なくとも一方において、少なくとも一部の周縁部が前記支承片に位置して開口する開口部と、
前記支承片の前記第１面側に設けられ、前記開口部の前記支承片に位置する前記周縁部を包囲するように凸設された包囲部と、を備えていることを特徴とする。
【０００８】
本発明の第１の態様の壁材の取付具では、支承片の第１面側に凸設された包囲部は、開口部の支承片に位置する周縁部を包囲している。このような包囲部により、雨水等が壁材を伝って支承片に達した際、その雨水等を支承片に位置する周縁部の手前で堰き止めることができる。
【０００９】
したがって、本発明の第１の態様の壁材の取付具では、壁材を伝って支承片に達する雨水等が開口部を経由して構造体側に移動することを抑制できる。
【００１０】
本発明の第２の態様として、取付具は、開口部の支承片に位置する周縁部に隣接して、支承片の基端部位から支承片の第２面側に延び、構造体に当接可能な補助固定部を備えていることが望ましい。
【００１１】
この場合、補助固定部によって、取付具の固定部を構造体に一層好適に固定可能となる。また、支承片及び固定部の少なくとも一方から小片を切り起こすことにより、補助固定部を容易に形成できる。そして、この補助固定部の切り起こしによって形成される開口部を経由する雨水等の移動を包囲部によって抑制できる。
【００１２】
本発明の第３の態様として、固定部は、一対の側端部位を有していることが望ましい。そして、取付具は、両側端部位における支承片の第１面側からそれぞれ突出するように設けられた一対の側壁を備えていることが望ましい。
【００１３】
この場合、包囲部によって堰き止められて支承片の第１面側に溜まる雨水等が増加しても、一対の側壁によって、その雨水等が支承片の両側端を経由して構造体側に移動することを抑制できる。
【００１４】
本発明の第４の態様として、支承片と両側壁との間は、閉止されていることが望ましい。
【００１５】
この場合、包囲部によって堰き止められて支承片の第１面側に溜まる雨水等が増加しても、支承片と一対の側壁との間が閉止されていることによって、その雨水等が支承片の両側端を経由して構造体側に移動することを確実性高く抑制できる。
【００１６】
本発明の第５の態様として、取付具は、支承片の第１面側に設けられ、包囲部よりも外側から開口部の支承片に位置する周縁部を包囲するように凸設された補助包囲部を備えていることが望ましい。
【００１７】
この場合、雨水等が壁材を伝って支承片に達した際、補助包囲部によって、その雨水等を包囲部の手前で堰き止めることができる。その結果、壁材を伝って支承片に達する雨水等が開口部を経由して構造体側に移動することを一層抑制できる。また、補助包囲部によって堰き止められた雨水等を第２係止片を経由して壁材の外側に排出することができる。
【００１８】
本発明の第６の態様として、第１係止片は、第２係止片を挟んで一対設けられていることが望ましい。そして、支承片の第１面側には、一方の第１係止片と第２係止片との境界と、他方の第１係止片と第２係止片との境界とに配置された弾性体が設けられていることが望ましい。
【００１９】
この場合、包囲部によって堰き止められて支承片の第１面側に溜まる雨水等が増加しても、弾性体によって、その雨水等が支承片の第１面側で広がることを抑制し、その雨水等を第２係止片を経由して壁材の外側に好適に排出することができる。
【００２０】
本発明の第７の態様として、包囲部は、支承片の先端部位側に位置し、第２係止片に沿って延びる第１包囲部と、包囲部における第１包囲部以外の部分である第２包囲部と、を含んでいることが望ましい。そして、第１包囲部の幅及び高さの少なくとも一方は、第２包囲部よりも大きく設定されていることが望ましい。
【００２１】
この場合、雨水等が達し易い支承片の先端部位では、雨水等を第１包囲部により確実性高く堰き止めることができる。その結果、壁材を伝って支承片に達する雨水等が開口部を経由して構造体側に移動することを一層抑制できる。
【００２２】
本発明の第８の態様の壁構造は、
建物の構造体に対し、取付具を用いて壁材を取り付けた壁構造であって、
前記取付具は、前記構造体に固定可能な固定部と、
前記固定部から突出するように設けられ、第１面と、前記第１面とは反対側を向く第２面とが形成された支承片と、
前記支承片の先端部位から前記支承片の前記第１面側に延びる第１係止片と、
前記支承片の前記先端部位から前記支承片の前記第２面側に延びる第２係止片と、
前記支承片及び前記固定部の少なくとも一方において、少なくとも一部の周縁部が前記支承片に位置して開口する開口部と、
前記支承片の前記第１面側に設けられ、前記開口部の前記支承片に位置する前記周縁部を包囲するように凸設された包囲部と、を備えていることを特徴とする。
【００２３】
本発明の第８の態様の壁構造では、第１の態様の壁材の取付具が奏する作用効果により、雨水等が壁材を伝って支承片に達した際、包囲部によって、その雨水等を開口部の支承片に位置する周縁部の手前で堰き止めることができる。
【００２４】
したがって、本発明の第８の態様の壁構造では、壁材を伝って支承片に達する雨水等が開口部を経由して構造体側に移動することを抑制できる。
【００２５】
本発明の第９の態様として、上下方向で隣り合う各壁材によって形成される複数の横目地は、支承片に沿って直線状に連続していることが望ましい。また、左右方向で隣り合う各壁材によって形成される複数の縦目地は、支承片の第１面側に位置する一方で第２面側には位置せず、互い違いに配列されて、連続していないことが望ましい。
【００２６】
この場合、複数の壁材が所謂、うま張りされた状態となる。この状態では、取付具は、一般的に、支承片の第１面側に縦目地が在る位置、かつ、支承片の第２面側に縦目地が無い位置に配置されて、壁材を構造体に取り付ける。このため、縦目地を伝って支承片の第１面側に達した雨水等が支承片の第２面側で縦目地を伝って排出されない。従って、この壁構造では、取付具の包囲部による、支承片に達する雨水等が開口部を経由して構造体側に移動することを抑制できる、という作用効果を確実に享受できる。
【発明の効果】
【００２７】
本発明の壁材の取付具、及び壁構造では、壁材を伝って支承片に達する雨水等が開口部を経由して構造体側に移動することを抑制できる。
【図面の簡単な説明】
【００２８】
【図１】図１は、実施の形態１に係り、互いに隣接する複数の外壁板と取付具との相対位置関係を示す正面図である。
【図２】図２は、実施の形態１の外壁板の斜視図である。
【図３】図３は、実施の形態１に係り、隣接する外壁板同士の組み付け構成を示す部分斜視図である。
【図４】図４は、実施の形態１に係り、取付具の斜視図である。
【図５】図５は、実施の形態１に係り、取付具の正面図である。
【図６】図６は、実施の形態１に係り、取付具の上面図である。
【図７】図７は、図５のＶＩＩ−ＶＩＩ断面を示す断面図である。
【図８】図８は、実施の形態１に係り、取付具を用いた複数の外壁板の取り付け構成を示す部分斜視図である。
【図９】図９は、図１のＩＸ−ＩＸ断面を示す部分断面図である。
【図１０】図１０は、実施の形態２の取付具の斜視図である。
【発明を実施するための形態】
【００２９】
以下、本発明を具体化した実施の形態１、２を図面を参照しつつ説明する。なお、図１において、紙面手前側が屋外側であり、紙面奥側が屋内側である。また、図１において、垂直上方向を上と表示し、垂直下方向を下と表示する。さらに、図１の屋外から屋内に向う方向において水平左方向を左と表示し、水平右方向を右と表示する。そして、図２以降の各図に示す各方向は、図１に対応させて表示する。
【００３０】
（実施の形態１）
図１に示すように、実施の形態１の壁構造は、壁構造の具体的態様の一例である。この壁構造は、住宅、施設、倉庫等の建物を構成する構造体８に対し、図２及び図３等に示す複数の外壁板２を取り付けたものである。外壁板２は、壁材の一例である。外壁板２は、それ自体が高い強度や剛性を有して建物の外壁を構成する板材である。なお、壁材は外壁板に限定されず、例えば、建物を外装する化粧板、屋内用構造パネル、内装板等であってもよい。
【００３１】
図１に示すように、構造体８は、例えば、木造軸組構法によって建築されるものである。構造体８は、複数の構造部材によって構成されている。構造部材には、左右方向に所定の間隔を有して並ぶ複数の柱材や柱材間に配置される間柱等の柱部材９が含まれる。図示は省略するが、柱部材９の屋外方向を向く外面には、胴縁と呼ばれる支持部材が図示しない止めネジや釘等によって固定されている。これらの支持部材も構造部材に含まれる。また、その支持部材と柱部材９との間には、防水シートが敷設されている。なお、構造体８は、本実施の形態の構成に限定されず、木造枠組壁構法等によって建築されてもよい。また、壁構造を構成する構造体は、例えば、鉄骨造、鉄筋コンクリート造、レンガ造等の躯体であってもよい。
【００３２】
図２に示すように、外壁板２は、四辺形状、より具体的には、左右方向に長い略矩形状の板材である。本実施の形態では、外壁板２は、セメントを含む窯業系材料からなる。なお、外壁板２の材質や形状は上記には限定されない。例えば、外壁板２の材質は、金属系材、木質系材、樹脂系材等を適宜選択できる。また、外壁板２の形状は、四辺形状で上下方向に長い略矩形形状の板材等を適宜選択できる。
【００３３】
外壁板２の表面２Ｆは、例えばレンガ柄等のデザインが施された外装面となっている。外壁板２の左端部には、表側左右接合部２１が形成されている。外壁板２の右端部には、裏側左右接合部２２が形成されている。外壁板２の下端部には、表側上下接合部２３が形成されている。外壁板２の上端部には、裏側上下接合部２４が形成されている。なお、図２では、外壁板２の大きさに対して、表側左右接合部２１、裏側左右接合部２２、表側上下接合部２３及び裏側上下接合部２４の大きさが誇張して図示されている。
【００３４】
図２及び図３に示すように、表側左右接合部２１は、外壁板２の裏面２Ｂから表面２Ｆに向かって段状に形成され、垂直方向、すなわち、外壁板２の左端部に沿って延在している。
【００３５】
裏側左右接合部２２は、外壁板２の表面２Ｆから裏面２Ｂに向かって段状に形成され、垂直方向、すなわち、外壁板２の右端部に沿って延在している。裏側左右接合部２２における屋外方向を向く平坦面には、コーキング２２Ｓが設けられている。コーキング２２Ｓは、裏側左右接合部２２に沿って直線状に配設されている。なお、コーキングは必須ではなく、コーキング２２Ｓを省略することもできる。
【００３６】
表側上下接合部２３は、外壁板２の裏面２Ｂから表面２Ｆに向かって段状に形成され、左右方向、すなわち、外壁板２の下端部に沿って延在している。表側上下接合部２３には、上向きに略テーパ状に凹む係合凹部２３Ａが形成されている。
【００３７】
裏側上下接合部２４は、外壁板２の表面２Ｆから裏面２Ｂに向かって段状に形成され、左右方向、すなわち、外壁板２の上端部に沿って延在している。裏側上下接合部２４における屋外方向を向く平坦面には、コーキング２４Ｓが設けられている。コーキング２４Ｓは、裏側上下接合部２４に沿って直線状に配設されている。なお、コーキングは必須ではなく、コーキング２４Ｓを省略することもできる。裏側上下接合部２４には、コーキング２４Ｓよりも上方において上向きに略テーパ状に突出する係合凸部２４Ａが形成されている。
【００３８】
図１に示すように、右側の外壁板２の表側左右接合部２１と、左側の外壁板２の裏側左右接合部２２とが重なり合うことによって、左右方向に隣接する外壁板２同士の間に、左右合決り部が形成される。下側の外壁板２の裏側上下接合部２４と、上側の外壁板２の表側上下接合部２３とが重なり合うことによって、上下方向に隣接する外壁板２同士の間に、左右方向に延びる上下合決り部が形成される。すなわち、各外壁板２は、表側左右接合部２１、裏側左右接合部２２、表側上下接合部２３及び裏側上下接合部２４を備える、いわゆる「四方合い決り構造」である板材である。
【００３９】
実施の形態１の取付具１０は、周知の取付具９０等とともに、構造部材としての各柱部材９に固定されて、構造体８に対し、複数の外壁板２を上下方向及び左右方向に隣接するように取り付けるためのものである。取付具１０は、取付具の具体的態様の一例である。
【００４０】
図１に示す外壁板２の取付構成では、上下方向で隣り合う各外壁板２によって形成される複数の横目地２Ｈは、直線状に連続している。また、左右方向で隣り合う各外壁板２によって形成される複数の縦目地２Ｖは、互い違いに配列されて、連続していない。つまり、外壁板２は、所謂、うま張りされている。図示及び説明は省略するが、外壁板２は、複数の横目地２Ｈが直線状に連続し、かつ複数の縦目地２Ｖが直線状に連続する状態とされ得る。つまり、外壁板２は、所謂、いも張りされてもよい。そして、取付具１０は、外壁板２をいも張りする場合にも使用できるようになっている。
【００４１】
図４〜図７に示すように、取付具１０は、鉄やステンレススチール等の金属板が打ち抜き加工、プレス加工及び折り曲げ加工等されることによって製造される。なお、取付具１０の材質や製造方法は上記に限定されず、各種の材料や、製造方法を適宜選択できる。
【００４２】
固定部１５は、正面視した場合に略矩形状とされた略平板部分である。固定部１５は、一対の側端部位１５Ｌ、１５Ｒを有している。左方の側端部位１５Ｌは、固定部１５の左端で上下方向に延びている。右方の側端部位１５Ｒは、固定部１５の右端で上下方向に延びている。
【００４３】
固定部１５には、膨出部１６Ａ、１６Ｌ１、１６Ｌ２、１６Ｒ１、１６Ｒ２が設けられている。膨出部１６Ａ、１６Ｌ１、１６Ｌ２、１６Ｒ１、１６Ｒ２は、金属板がリブ状にプレス加工されて、取付具１０の表側に向かって膨らむように形成されている。取付具１０の表側は、取付具１０が構造体８に固定された状態で、屋外方向を向く側である。
【００４４】
図４及び図５に示すように、膨出部１６Ａは、固定部１５における上下方向の略中間部で左右方向に延びている。膨出部１６Ｌ１は、膨出部１６Ａの左部分に交差し、上下方向に延びている。膨出部１６Ｌ２は、膨出部１６Ａの左端に接続し、下方に延びている。膨出部１６Ｒ１は、膨出部１６Ａの右部分に交差し、上下方向に延びている。膨出部１６Ｒ２は、膨出部１６Ａの右端に接続し、下方に延びている。
【００４５】
図６〜図９に示すように、柱部材９と接触する取付具１０の裏側を向く面は、固定部１５の基準面１５Ｓとされている。
【００４６】
図４及び図５に示すように、固定部１５には、３つの固定孔１７が設けられている。固定孔１７は、膨出部１６Ａよりも上方であって、膨出部１６Ｌ１と膨出部１６Ｒ１との間の位置と、膨出部１６Ｌ１よりも左方の位置と、膨出部１６Ｒ１よりも右方の位置とに形成されている。図４、図８及び図９に示すように、固定孔１７は、ネジ１０Ｂや釘等の締結具が挿通されて取付具１０を柱部材９に固定するためのものである。
【００４７】
支承片１３は、固定部１５の下端縁に接続する板状部分が折り曲げられることにより形成されている。支承片１３は、固定部１５の下端縁から取付具１０の表側に向かって突出している。支承片１３の基端部位１３Ｂは、固定部１５の下端縁と接続し、かつ左右方向に延在している。支承片１３の先端部位１３Ａは、基端部位１３Ｂに対して、取付具１０の表側に離間し、かつ左右方向に延在している。
【００４８】
図６に示すように、支承片１３の左右方向の長さは、基端部位１３Ｂ側では、固定部１５の側端部位１５Ｌ、１５Ｒの左右方向の間隔よりも僅かに小さい一方、先端部位１３Ａ側では、側端部位１５Ｌ、１５Ｒの左右方向の間隔よりも大きい。つまり、支承片１３の先端部位１３Ａ側は、固定部１５よりも左右方向にはみ出している。
【００４９】
支承片１３には、第１面１３Ｕと第２面１３Ｄとが形成されている。第１面１３Ｕは上向きの面であり、支承片１３の基端部位１３Ｂから先端部位１３Ａまで延在し、かつ左右方向に延在している。第２面１３Ｄは下向きの面であり、支承片１３の基端部位１３Ｂから先端部位１３Ａまで延在し、かつ左右方向に延在している。
【００５０】
左方の第１係止片１１Ｌは、支承片１３の先端部位１３Ａの左端側に接続する板状部分が上向きに折り曲げられることにより形成されている。右方の第１係止片１１Ｒは、支承片１３の先端部位１３Ａの右端側に接続する板状部分が上向きに折り曲げられることにより形成されている。第１係止片１１Ｌ、１１Ｒは、支承片１３の先端部位１３Ａから、支承片１３の第１面１３Ｕ側、かつ取付具１０の表側に向かって斜めに延びている。
【００５１】
第２係止片１２は、支承片１３の先端部位１３Ａにおける左右方向の中央部に接続する板状部分が下向きに折り曲げられることにより形成されている。第２係止片１２は、左方の第１係止片１１Ｌと、右方の第１係止片１１Ｒとに挟まれた状態で、支承片１３の先端部位１３Ａから、支承片１３の第２面１３Ｄ側、かつ取付具１０の表側に向かって斜めに延びている。
【００５２】
左方の保持片１８Ｌは、支承片１３の先端部位１３Ａにおける左方の第１係止片１１Ｌと第２係止片１２との境界から取付具１０の表側に向かって短く突出した後、上向きに屈曲している。右方の保持片１８Ｒは、支承片１３の先端部位１３Ａにおける右方の第１係止片１１Ｒと第２係止片１２との境界から取付具１０の表側に向かって短く突出した後、上向きに屈曲している。
【００５３】
図４、図８及び図９に示すように、弾性体１８は、両面テープ等によって、保持片１８Ｌ、１８Ｒに貼り付けられている。弾性体１８は、保持片１８Ｌ、１８Ｒにおける取付具１０の表側面と裏側面とを覆い、さらに、支承片１３の第１面１３Ｕの一部を覆っている。弾性体１８は、例えば、エチレンプロピレンゴム等の発泡体である。
【００５４】
左方の側壁３８Ｌは、固定部１５の左方の側端部位１５Ｌに接続する板状部分が取付具１０の表側に向かって折り曲げられることにより形成されている。右方の側壁３８Ｒは、固定部１５の右方の側端部位１５Ｒに接続する板状部分が取付具１０の表側に向かって折り曲げられることにより形成されている。側壁３８Ｌ、３８Ｒは、上下方向に延在しており、支承片１３の第１面１３Ｕ側に位置する部分と、支承片１３の第２面１３Ｄ側に位置する部分とを含んでいる。図６に示すように、側壁３８Ｌ、３８Ｒは、支承片１３の基端部位１３Ｂ側を左右方向において挟んでいる。支承片１３の基端部位１３Ｂ側の両側端と、側壁３８Ｌ、３８Ｒとは、僅かな隙間を有していても良いし、隙間なく突き合わされていても良い。
【００５５】
左方の第１支持部３１Ｌは、支承片１３よりも上方で、左方の側壁３８Ｌの先端縁に接続する板状部分が左方に折り曲げられることにより形成されている。右方の第１支持部３１Ｒは、支承片１３よりも上方で、右方の側壁３８Ｒの先端縁に接続する板状部分が右方に折り曲げられることにより形成されている。第１支持部３１Ｌ、３１Ｒは、基準面１５Ｓと平行な平板状に延在している。
【００５６】
左方の第２支持部３２Ｌは、支承片１３よりも下方で、左方の側壁３８Ｌの先端縁に接続する板状部分が右方に折り曲げられることにより形成されている。右方の第２支持部３２Ｒは、支承片１３よりも下方で、右方の側壁３８Ｒの先端縁に接続する板状部分が左方に折り曲げられることにより形成されている。第２支持部３２Ｌ、３２Ｒは、基準面１５Ｓと平行な平板状に延在している。第２支持部３２Ｌ、３２Ｒは、第１支持部３１Ｌ、３１Ｒと同一平面上にある。
【００５７】
固定部１５における左右方向の中央部であって膨出部１６Ａよりも下方の部分に逆Ｕ字形状のスリットが形成された後、そのスリットに囲まれた内側部分である小片が下向きに切り起こされる。この小片の切り起こしにより、開口部１９及び補助固定部３５が形成されている。
【００５８】
開口部１９の略矩形状の周縁部１９Ｅのうちの下辺である周縁部１９Ｅ１は、支承片１３の基端部位１３Ｂに位置している。周縁部１９Ｅの上辺、左辺及び右辺は、固定部１５に位置している。
【００５９】
図５及び図７に示すように、補助固定部３５は、開口部１９の支承片１３に位置する周縁部１９Ｅ１に隣接して、支承片１３の基端部位１３Ｂから支承片１３の第２面１３Ｄ側に、すなわち下向きに延びている。図９に示すように、補助固定部３５の裏側を向く面は、固定部１５の基準面１５Ｓと同一平面を形成している。つまり、固定部１５が構造体８に当接して固定される際、補助固定部３５も構造体８に当接する。
【００６０】
支承片１３の第１面１３Ｕ側には、包囲部５０及び補助包囲部５６Ｌ、５６Ｒが設けられている。包囲部５０及び補助包囲部５６Ｌ、５６Ｒはそれぞれ、金属板がリブ状にプレス加工されて、上向きに膨らむように形成されている。
【００６１】
図４及び図６に示すように、包囲部５０は、第１包囲部５１と第２包囲部５２Ｌ、５２Ｒとを含んでいる。左方の第２包囲部５２Ｌは、膨出部１６Ｌ１の下端に接続し、取付具１０の表側に向かって延びている。右方の第２包囲部５２Ｒは、膨出部１６Ｒ１の下端に接続し、取付具１０の表側に向かって延びている。第１包囲部５１は、左右方向に延びて、左方の第２包囲部５２Ｌの先端に連続的に接続すると共に、右方の第２包囲部５２Ｒの先端に連続的に接続している。
【００６２】
つまり、第１包囲部５１は、支承片１３の先端部位１３Ａ側に位置し、第２係止片１２に沿って延びている。第２包囲部５２Ｌ、５２Ｒは、包囲部５０における第１包囲部５１以外の部分である。このような第１包囲部５１及び第２包囲部５２Ｌ、５２Ｒにより、包囲部５０は、略Ｃ字形状に凸設されたリブとなっている。包囲部５０は、開口部１９の支承片１３に位置する周縁部１９Ｅ１を包囲している。また、包囲部５０は、支承片１３を補強している。
【００６３】
左方の補助包囲部５６Ｌは、膨出部１６Ｌ２の下端に接続し、取付具１０の表側に向かって延びた後、右向きに屈曲して、第１包囲部５１の左端と、第２包囲部５２Ｌの先端とに連続的に接続している。右方の補助包囲部５６Ｒは、膨出部１６Ｒ２の下端に接続し、取付具１０の表側に向かって延びた後、左向きに屈曲して、第１包囲部５１の右端と、第２包囲部５２Ｌの先端とに連続的に接続している。
【００６４】
つまり、補助包囲部５６Ｌ、５６Ｒはそれぞれ、略Ｌ字形状に凸設されたリブとなっている。補助包囲部５６Ｌ、５６Ｒは、包囲部５０よりも外側から開口部１９の支承片１３に位置する周縁部１９Ｅ１を包囲している。また、補助包囲部５６Ｌ、５６Ｒは、支承片１３を補強している。
【００６５】
図６に示すように、第１包囲部５１の幅Ｗ５１は、第２包囲部５２Ｌ、５２Ｒの幅Ｗ５２よりも大きく設定されている。図７に示すように、第１包囲部５１の高さＨ５１は、第２包囲部５２Ｌ、５２Ｒの高さＨ５２よりも大きく設定されている。
【００６６】
図４及び図６に示すように、左方の第２包囲部５２Ｌと膨出部１６Ｌ１とが接続することにより、固定部１５と支承片１３との接続部分が補強されている。右方の第２包囲部５２Ｒと膨出部１６Ｒ１との接続、左方の補助包囲部５６Ｌと膨出部１６Ｌ２との接続、及び右方の補助包囲部５６Ｒと膨出部１６Ｒ２との接続についても同様である。
【００６７】
支承片１３の第１面１３Ｕ側には、上向きに膨らむように形成された複数の凸リブ５９が設けられている。各凸リブ５９は、第１包囲部５１に接続し、又は補助包囲部５６Ｌ、５６Ｒの左右方向に延びる部分に接続して、取付具１０の表側に向かって延びている。各凸リブ５９も、支承片１３を補強している。
【００６８】
本実施の形態の取付具１０は、外壁板２を構造体８に取り付ける際、例えば図１のうま張りの場合、外壁板２同士の縦目地２Ｖが支承片１３の第１面１３Ｕ側に位置するように、柱部材９等の構造部材に固定される。外壁板２同士の縦目地２Ｖは、取付具１０の第２面１３Ｄ側には位置しない。
【００６９】
一方、他の取付具９０は、外壁板２同士の縦目地２Ｖが取付具９０の支承片の下側に位置するように、柱部材９に固定される。外壁板２同士の縦目地２Ｖは、取付具９０の支承片の上側には位置しない。
【００７０】
この状態で、外壁板２同士の横目地２Ｈは、左右方向に並ぶ複数の取付具１０の支承片１３と、取付具９０の支承片とに沿って直線状に連続する。
【００７１】
図示は省略するが、取付具９０は、略中央に左右方向で隣接する外壁板２同士の間に進入する小片を備え、その小片によって、外壁板２の横ズレを防止するようになっている。
【００７２】
＜作用効果＞
図８及び図９に示すように、取付具１０の基準面１５Ｓを柱部材９に当接させ、かつ第２支持部３２Ｌ、３２Ｒと下側に位置する外壁板２の裏面２Ｂとを当接させながら、取付具１０を下方に移動させる。これにより、第２係止片１２が外壁板２の裏側上下接合部２４の係合凸部２４Ａに当接する。この状態で、締結具としてのネジ１０Ｂを固定孔１７に挿通し、柱部材９にねじ込むことにより、取付具１０は、柱部材９に固定された固定状態となる。これにより、外壁板２の裏側上下接合部２４の係合凸部２４Ａは、取付具１０の第２係止片１２によって係止される。
【００７３】
図９に示すように、外壁板２の裏面２Ｂに第２支持部３２Ｌ、３２Ｒが当接することにより、外壁板２は、屋内方向に向かって位置ずれしないように規制される。その結果、構造体８と外壁板２の裏面２Ｂとの間に、通気空間Ｓ１が確保される。
【００７４】
基準面１５Ｓと同一平面上に位置する補助固定部３５は、柱部材９に当接して、取付具１０がネジ１０Ｂ周りで回転することを防止する。
【００７５】
次に、下側の外壁板２の上方に、次の外壁板２を取り付ける。この際、上側の外壁板２同士の縦目地２Ｖが支承片１３の第１面１３Ｕ側に位置するように、外壁板２が配置される。これにより、上側に位置する外壁板２の表側上下接合部２３の係合凹部２３Ａは、取付具１０の第１係止片１１Ｌ、１１Ｒによって係止される。
【００７６】
支承片１３に形成された各凸リブ５９が上側の外壁板２の下端部に下方から接触することによって、支承片１３が上側の外壁板２を支持する。
【００７７】
上側の外壁板の裏面２Ｂには、取付具１０の第１支持部３１Ｌ、３１Ｒが当接する。これにより、上側の外壁板２は、屋内方向に向かって位置ずれしないように規制される。その結果、構造体８と、上側の外壁板２の裏面２Ｂとの間にも、通気空間Ｓ１が確保される。
【００７８】
こうして、取付具１０は、図１に示すように、縦目地２Ｖが支承片１３の第１面１３Ｕ側に位置する状態で、下側の外壁板２の上端部と、上側の外壁板２の下端部とを支持する。
【００７９】
実施の形態１の取付具１０及び壁構造では、図４、図６及び図８等に示すように、取付具１０の支承片１３の第１面１３Ｕ側に凸設された包囲部５０は、開口部１９の支承片１３に位置する周縁部１９Ｅ１を包囲している。このような包囲部５０により、図９に矢印Ｙ１で示すように、雨水等が外壁板２を伝って支承片１３に達した際、その雨水等を支承片１３に位置する周縁部１９Ｅ１の手前で堰き止めることができる。
【００８０】
したがって、実施の形態１の取付具１０及び壁構造では、外壁板２を伝って支承片１３に達する雨水等が開口部１９を経由して構造体８側に移動することを抑制できる。
【００８１】
また、この取付具１０は、固定部１５が構造体８を構成する柱部材９等の構造部材に当接して固定される際、補助固定部３５も柱部材９等に当接し、取付具１０がネジ１０Ｂ周りで回転することを防止する。これにより、取付具１０の固定部１５を構造体８に一層好適に固定可能となる。また、補助固定部３５は、固定部１５から小片を切り起こすことにより、容易に形成できる。そして、補助固定部３５の切り起こしによって形成される開口部１９を経由する雨水等の移動を包囲部５０によって抑制できる。
【００８２】
さらに、この取付具１０では、図４及び図６等に示すように、一対の側壁３８Ｌ、３８Ｒは、支承片１３の第１面１３Ｕ側に位置する部分を含み、支承片１３の基端部位１３Ｂ側を左右方向において挟んでいる。これにより、包囲部５０によって堰き止められて支承片１３の第１面１３Ｕ側に溜まる雨水等が増加しても、一対の側壁３８Ｌ、３８Ｒによって、その雨水等が支承片１３の両側端を経由して構造体８側に移動することを抑制できる。
【００８３】
また、この取付具１０において、支承片１３の基端部位１３Ｂ側の両側端に側壁３８Ｌ、３８Ｒを隙間なく突き合わせた場合には、支承片１３と両側壁３８Ｌ、３８Ｒとの間が閉止される。これにより、包囲部５０によって堰き止められて支承片１３の第１面１３Ｕ側に溜まる雨水等が増加しても、その雨水等が支承片１３と一対の側壁３８Ｌ、３８Ｒとの間を経由して構造体８側に移動することを確実性高く抑制できる。
【００８４】
さらに、この取付具１０では、図４及び図６等に示すように、補助包囲部５６Ｌ、５６Ｒは、包囲部５０よりも外側から開口部１９の支承片１３に位置する周縁部１９Ｅ１を包囲するように凸設されている。これにより、雨水等が外壁板２を伝って支承片１３に達した際、補助包囲部５６Ｌ、５６Ｒによって、その雨水等を包囲部５０の手前で堰き止めることができる。その結果、外壁板２を伝って支承片１３に達する雨水等が開口部１９を経由して構造体８側に移動することを一層抑制できる。また、図９に矢印Ｙ２で示すように、包囲部５０及び補助包囲部５６Ｌ、５６Ｒによって堰き止められた雨水等を第２係止片１２を経由して外壁板２の外側に排出することができる。
【００８５】
また、この取付具１０では、図４及び図９等に示すように、第１係止片１１Ｌ、１１Ｒは、第２係止片１２を挟んで一対設けられている。弾性体１８は、支承片１３の第１面１３Ｕ側で保持片１８Ｌ、１８Ｒに貼り付けられて、左方の第１係止片１１Ｌと第２係止片１２との境界と、右方の第１係止片１１Ｒと第２係止片１２との境界とに配置されている。これにより、この取付具１０では、包囲部５０によって堰き止められて支承片１３の第１面１３Ｕ側に溜まる雨水等が増加しても、弾性体１８によって、その雨水等が支承片１３の第１面１３Ｕ側で広がることを抑制できる。そして、図９に矢印Ｙ２で示すように、その雨水等を第２係止片１２を経由して外壁板２の外側に好適に排出することができる。
【００８６】
さらに、この取付具１０では、図４及び図６等に示すように、包囲部５０は、第１包囲部５１と第２包囲部５２Ｌ、５２Ｒとを含んでいる。そして、第１包囲部５１の幅Ｗ５１は、第２包囲部５２Ｌ、５２Ｒの幅Ｗ５２よりも大きく設定されている。また、図７に示すように、第１包囲部５１の高さＨ５１は、第２包囲部５２Ｌ、５２Ｒの高さＨ５２よりも大きく設定されている。このような設定により、第２包囲部５２Ｌ、５２Ｒよりも雨水等が達し易い第１包囲部５１は、支承片１３に達した雨水等を第２包囲部５２Ｌ、５２Ｒよりも確実性高く堰き止めることができる。その結果、外壁板２を伝って支承片１３に達する雨水等が開口部１９を経由して構造体８側に移動することを一層抑制できる。
【００８７】
また、実施の形態１の壁構造では、図１及び図８に示すように、複数の外壁板２は、所謂、うま張りされた状態となっている。そして、取付具１０は、支承片１３の第１面１３Ｕ側に縦目地２Ｖが在る位置、かつ、支承片１３の第２面１３Ｄ側に縦目地２Ｖが無い位置に配置されて、外壁板２を構造体８に取り付ける。このため、縦目地２Ｖを伝って支承片１３の第１面１３Ｕ側に達した雨水等が支承片１３の第２面１３Ｄ側で縦目地２Ｖを伝って排出されない。しかし、この壁構造では、取付具１０の包囲部５０による、支承片１３に達する雨水等が開口部１９を経由して構造体８側に移動することを抑制できるため、所謂うま張りにも好適に使用することができる。
【００８８】
（実施の形態２）
図１０に示すように、実施の形態２の取付具２１０は、実施の形態１の取付具１０に係る開口部１９及び補助固定部３５の代わりに、開口部２１９及び補助固定部２３５を備えている。また、支承片１３の両側端と両側壁３８Ｌ、３８Ｒとの間は、閉止部材２３８Ｓによって閉止されている。実施の形態２のその他の構成は、実施の形態１と同様である。このため、実施の形態１と同一の構成については同一の符号を付して説明を省略又は簡略する。
【００８９】
固定部１５における左右方向の中央部であって包囲部５０に囲まれた部分にＵ字形状のスリットが形成され、そのスリットに囲まれた内側部分の小片が下向きに切り起こされることにより、開口部２１９及び補助固定部２３５が形成されている。
【００９０】
開口部２１９の略矩形状の周縁部２１９Ｅの四辺は、支承片１３に位置している。包囲部５０は、開口部２１９の周縁部２１９Ｅを包囲するように凸設されている。補助包囲部５６Ｌ、５６Ｒは、包囲部５０よりも外側から開口部２１９の周縁部２１９Ｅを包囲するように凸設されている。
【００９１】
補助固定部２３５は、開口部１９の周縁部２１９Ｅのうちの支承片１３の基端部位１３Ｂに沿う一辺に隣接して、支承片１３の基端部位１３Ｂから支承片１３の第２面１３Ｄ側に、すなわち下向きに延びている。補助固定部２３５の裏側を向く面は、固定部１５の基準面１５Ｓと同一の平面上に位置している。つまり、固定部１５が構造体８に当接して固定される際、補助固定部２３５も構造体８に当接する。
【００９２】
支承片１３と両側壁３８Ｌ、３８Ｒとの間を閉止する閉止部材２３８Ｓとしては、例えば、板状又は紐状であるゴム製部材、コーキング等の充填材、溶接による肉盛り等から適宜選択される。
【００９３】
このような構成である実施の形態２の取付具２１０でも、実施の形態１の取付具１０と同様に、雨水等が外壁板２を伝って支承片１３に達した際、その雨水等を支承片１３に位置する周縁部２１９Ｅの手前で堰き止めることができ、その雨水等が開口部１９を経由して構造体８側に移動することを抑制できる。
【００９４】
以上において、本発明の形態を実施の形態１、２に即して説明したが、本発明の形態は上記実施の形態１、２に制限されるものではなく、その趣旨を逸脱しない範囲で適宜変更して適用できることはいうまでもない。
【００９５】
例えば、実施の形態１では、外壁板２が四方合い決り構造であるがこの構成には限定されない、壁材は、上下合い決り構造であってもよいし、合い決り構造を有していなくてもよい。
【００９６】
実施の形態１に係る弾性体１８は必須ではなく、省略することもできる。補助包囲部は、包囲部５０に接続せず、包囲部５０を囲む略Ｃ字形状のリブであってもよい。
【符号の説明】
【００９７】
８…構造体
２…壁材（外壁板）
１０、２１０…取付具
１５…固定部
１３Ｕ…第１面
１３Ｄ…第２面
１３…支承片
１３Ａ…支承片の先端部位
１１Ｌ、１１Ｒ…第１係止片
１２…第２係止片
１９、２１９…開口部
１９Ｅ、２１９Ｅ…開口部の周縁部
１９Ｅ１、２１９Ｅ…開口部の支承片に位置する周縁部
５０…包囲部
１３Ｂ…支承片の基端部位
３５、２３５…補助固定部
１５Ｌ、１５Ｒ…一対の側端部位
３８Ｌ、３８Ｒ…一対の側壁
５６Ｌ、５６Ｒ…補助包囲部
１８…弾性体
５１…第１包囲部
５２Ｌ、５２Ｒ…第２包囲部
Ｗ５１…第１包囲部の幅
Ｈ５１…第１包囲部の高さ
２Ｈ…横目地
２Ｖ…縦目地
【図１】
2018127863.tif 000003
【図２】
2018127863.tif 000004
【図３】
2018127863.tif 000005
【図４】
2018127863.tif 000006
【図５】
2018127863.tif 000007
【図６】
2018127863.tif 000008
【図７】
2018127863.tif 000009
【図８】
2018127863.tif 000010
【図９】
2018127863.tif 000011
【図１０】
2018127863.tif 000012